(57)【要約】【課題】使用状況に応じて、戸板の引き残しも引き込みも選択することができるととともに、いずれの場合であっても容易に誰でも戸板の開閉をすることができる引き戸を提供する。【解決手段】可変引き残し機構を有する引き戸１は、引き戸の戸板３の開口側の端部に引き手５が備えられ、引き手５は、戸板の引き残し切替手段８を有している。  戸板３の引き残し切替手段８の支持部９が戸袋４に突設し、戸板３が戸袋４に完全に収納されない引き残し状態と、戸板３の引き残し切替手段８の支持部９が側方に進出し戸板３が戸袋４に収納される引き込み状態とに切替可能である。【選択図】    図１
2010047960.tif 000002
【特許請求の範囲】
【請求項１】
引き戸の戸板の開口側の側部に引き手が備えられ、
該引き手は、戸板の引き残し切替手段を有し、
戸板の引き残し切替手段の支持部が戸袋に突設し、戸板が戸袋に完全に収納されない引き残し状態と、
該支持部が側方に進出し戸板が戸袋に収納される引き込み状態とに切替可能である可変引き残し機構を有する引き戸。
【請求項２】
前記引き手が長手方向に伸びる長尺物からなり、戸板の開口側の側部の上端部から下端部まで連続して設けられている請求項１に記載の可変引き残し機構を有する引き戸。
【請求項３】
前記引き込み状態において、前記支持部が引き手の手がかりとして機能する請求項１又は２に記載の可変引き残し機構を有する引き戸。
【請求項４】
戸板の引き残し機構が戸板に取り外し可能である請求項１乃至３に記載の可変引き残し機構を有する引き戸。
【発明の詳細な説明】
【技術分野】
【０００１】
本発明は、可変引き残し機構を有する引き戸に関する。詳しくは、引き戸の戸板の引き残し状態と引き込み状態を選択できる可変の引き残し機構を有する引き戸に関する。
【背景技術】
【０００２】
戸袋に戸板が引き込まれてしまう引き戸では、戸板すべてを引き出すときに不便であるため、戸板がすべて引き込まれない引き残し状態となるものや、引き残し状態で一旦ブレーキがかかった後、再度戸板を戸袋側へ押し込むことで戸板を完全に引き込むものなどが提案されている。
【０００３】
戸袋に戸板が完全に引き込まれた場合、戸袋から戸板を引き出すには例えば図４に示すような戸板引き出し用の持ち手を戸板に設けておき、戸板を引き出すときに戸板引き出し用の持ち手を引き出して利用するなどの操作が必要であった。
【０００４】
【特許文献１】特開２００６−２３３４９７号公報
【発明の開示】
【発明が解決しようとする課題】
【０００５】
しかし、引き戸の戸板を戸袋から引き出すための持ち手は、健常者を対象とした高さ位置に固定で取り付けられており、幼児や車椅子使用者にとってそのような持ち手は使いづらい。また、機構そのものも複雑で誰もが使いやすいものとはいえない。また、引き戸を取り付ける際に引き残し可能か引き込み可能かの選択する必要があり、使用状況に応じて適宜選択することができない。
【０００６】
本発明は以上のような問題点に鑑み、使用状況に応じて、戸板の引き残し状態も引き込み状態も選択することができ、いずれの場合であっても容易に誰でも戸板の開閉をすることができる引き戸を提供することを課題とする。
【課題を解決するための手段】
【０００７】
上記の課題は、引き戸の戸板の開口側の端部に引き手が備えられ、
該引き手は、戸板の引き残し切替手段を有し、
戸板の引き残し切替手段の支持部が戸袋に突設し、戸板が戸袋に完全に収納されない引き残し状態と、
該支持部が側方に進出し戸板が戸袋に収納される引き込み状態とに切替可能である可変引き残し機構を有する引き戸
により解決される。  
【０００８】
この可変引き残し機構を有する引き戸では、戸板の引き残し手段を有する引き手が備えられているので、引き残し手段を引き残し状態もしくは引き込み状態のどちらかに切り替えることで、戸板を引き残し可能な引き戸としても利用できるし、戸板を引き込み可能な引き戸としても利用できる。
【０００９】
上記の可変引き残し機構を有する引き戸において、引き手が長手方向に伸びる長尺物からなり、戸板の開口側の側部の上端部から下端部まで連続して設けられているとよい。
【００１０】
引き手が長手方向に伸びる長尺物からなり、戸板の開口側の側部の上端部から下端部まで連続して設けられているので、引き戸を操作する人は戸板の開口側の側部の上端部から下端部までのどこを持って操作してもよく、大人であっても子供であっても車椅子に乗っている人でも誰でも容易に操作し、引き戸の開閉を行うことができる。
【００１１】
可変引き残し機構を有する引き戸の戸板の引き込み状態において、支持部が引き手の手がかりとして機能するとよい。
【００１２】
支持部が手がかりとして機能することで、戸板が戸袋内に収納され戸袋から戸板を引き出すことがやっかいな引き込み状態であっても、戸板の引き出し操作を手がかりとして機能する支持部を使って容易に行うことができる。
【００１３】
また、戸板の引き残し機構が戸板に取り外し可能であるとよい。
【００１４】
既存の引き戸の戸板にも後付けで取り付けることが可能であり既存の引き戸の戸板に後付けで戸板の引き残し機構を取り付けることで、引き残し機能を持たない引き戸や戸袋に完全に収納してしまった場合に戸板を引き出すことが困難な引き戸を、戸板を引き残し可能な引き戸や戸板を容易に引き出せる引き込み可能な引き戸としても利用できるように改良することができる。
【発明の効果】
【００１５】
本発明は以上のとおりであるから、使用状況に応じて、引き戸の戸板の引き残し状態も引き込み状態も選択することができ、いずれの場合であっても容易に誰でも戸板の開閉をすることができる引き戸を提供することができる。
【発明を実施するための最良の形態】
【００１６】
次に、本発明の実施最良形態を図面に基づいて説明する。
【００１７】
図１に示す可変引き残し機構を有する引き戸１において、２は引き手、３は戸板、４は戸袋である。引き手２は、握り部５、固定部６、ベース部７、切替手段８で構成される。
【００１８】
戸板３の開口側の端部に引き手２が固定される。引き手２の一方の端部は断面視コの字形の固定部６からなり、戸板３の開口側の端部をコの字形の固定部６が挟み込むように取り付けられ、ビスなどの固定手段により固定される。また、引き手２は長手方向に伸びる長尺物からなり、戸板の開口側の側部の上端部から下端部まで連続して設けられている
【００１９】
引き手２の固定部６と反対側の端部は握り部５からなり、握り部５と固定部６はベース部７で接続されている。握り部５の戸板の表裏方向の一方の側５ａは、閉じられた面で形成されており、もう一方の側５ｂは戸板３の開口側に沿って形成された側枠からなり、握り部５のベース部７側には切替手段８が取り付けられる空間部５ｃが形成されている。切替手段８は係合部１２と第１支持部９と第２支持部１０とからなる。切替手段８は、引き手２に対して回転可能に取り付けられ、図１（ロ）に示すように、握り部５のベース部７側の空間部５ｃにヒンジ１１により回転可能に取り付けられている。
【００２０】
切替手段８は、戸板の引き残し状態において図１（ロ）に示すように、固定部６およびベース部７に沿い、第２支持部１０の一方の端部は係合部１２と連続し、もう一方の端部は第１支持部９と連続する。第１支持部９の長さは戸板の端部より、引き残し幅に必要な長さに設定されている。第１支持部９の端部には第１緩衝材１３が貼付されている。第２支持部１０のベース部７側には第２緩衝材１４は貼付されており、ベース部７と切替手段８とが摩擦により異音が発生するのを防止する。
【００２１】
図２（イ）に示すように戸板の引き残し状態において、切替手段８は係合部１２が図示しないロック機構により回動不能に固定される。図２（ロ）に示すように第１支持部９の端部が戸板４の側面に突設することで、引き戸３が戸板４内に収納されるのが防止され、戸板が引き残し状態になる。第１支持部９の端部には第１緩衝材１３が貼付され、戸板３の開閉時に第１支持部９が戸袋４に突設しても衝撃を和らげ音鳴りの発生を防止する。また、引き手２は長手方向に伸びる長尺物からなり、戸板の開口側の側部の上端部から下端部まで連続して設けられているため、引き戸を操作する人は戸板の開口側の側部の上端部から下端部までのどこも持って操作してもよく、大人であっても子供であっても車椅子に乗っている人でも誰でも容易に操作し、引き戸の開閉を行うことができる。
【００２２】
一方、戸板の引き残し状態から引き込み状態へは次のようにして変更する。図３（イ）、(ロ)に示すように、切替手段８の図示しないロック機構を解除し、切替手段をヒンジ１１を中心に９０度回転させる。切替手段は係合部１２が図示しないロック機構により回動不能に固定される。
【００２３】
戸板の引き込み状態では、図３（ハ）に示すように第１支持部９が引き戸の表裏面方向に進出するとともに、第２支持部１０が戸板３の開口側の端部と相対し、戸板３は戸袋４の端部に第２支持部１０が第２緩衝材１４を介して当接するまで引き込まれ、戸板３が戸袋４内に引き込まれることを妨げられない。第２支持部１０の側面に貼付された第２緩衝材１４が戸袋４の端部と接触することで、戸板３が戸袋４に収納された場合の衝撃や音鳴りの発生を防止する。また、第１支持部９が引き戸の表裏面方向に進出しているため、戸板３を戸袋４から引き出す際の持ち手として機能し、誰でも容易に引き込み状態の引き戸を引き出すことができる。
【００２４】
戸板の引き込み状態から引き残し状態へは次のようにして変更する。図３（ニ)、（ホ）に示すように、切替手段８の図示しないロック機構を解除し、切替手段をヒンジ１１を中心に９０度回転させる。切替手段は係合部１２が図示しないロック機構により引き残し状態で回動不能に固定される。
【００２５】
以上に、本発明の実施形態を示したが、本発明はこれに限られるものではなく、発明思想を逸脱しない範囲で各種の変更が可能である。例えば、上記の実施形態では、切替手段を戸板の一方の側に設けた場合について示したが、戸板の両方に設けてもよい。また、戸板の形状、切替手段の形状についても特に限定はなく、上記のように切替手段をヒンジにより回動可能としてもよいし、切替手段を一旦取り外してから、固定し直す形式でもよい。また、切替手段の固定も嵌合により引き手と固定してもよいし、ボルトなどの締結部材を用いて固定してもよい。
【００２６】
また上記の実施例では、可変引き残し機構が戸板に最初から取り付けられている場合について示したが、可変引き残し機構が取り外し可能であり既存の引き戸に後付けで取り付けてもよい。
【図面の簡単な説明】
【００２７】
【図１】本発明の可変引き残し機構を有する引き戸であって、図（イ）は断面平面図、図（ロ）は一部拡大断面平面図、図（ハ）は斜視図である。
【図２】図（イ）、（ロ）は可変引き残し機構を有する戸板の引き残し状態を示す断面平面図である。
【図３】図（イ）〜（ハ）は戸板の引き残し状態から引き込み状態への変更を順次示す断面平面図、図（ニ）〜（ホ）は戸板の引き込み状態から引き残し状態への変更を順次示す断面平面図である。
【図４】従来の戸板引き出し用の持ち手を有する引き戸を示す斜視図である。
【符号の説明】
【００２８】
１・・・可変引き残し機構を有する引き戸
２・・・引き手
３・・・戸板
４・・・戸袋
５・・・握り部
６・・・固定部
７・・・ベース部
８・・・切替手段
９・・・第１支持部
１０・・・第２支持部
【図１】
2010047960.tif 000003
【図２】
2010047960.tif 000004
【図３】
2010047960.tif 000005
【図４】
2010047960.tif 000006